(57)【特許請求の範囲】
【請求項１】
ファンを内装した装置本体の送風出口側に、内面に揮散性薬剤を塗布、あるいは積層により担持した柔軟性を有するチューブを少なくとも１本接続したことを特徴とする揮散性薬剤の送風放散装置。
【請求項２】
装置本体に、この装置本体に接続したチューブを巻き取り収納するチューブ収納手段を設けたことを特徴とする請求項１記載の揮散性薬剤の送風放散装置。
【発明の詳細な説明】
【０００１】
【発明の属する技術分野】
本発明は、ファンを用いて殺虫、害虫忌避、消臭、芳香、除菌などの目的に供する揮散性薬剤を目的対象とする空間に放散させる揮散性薬剤の送風放散装置に関するものである。
【０００２】
【従来の技術】
昨今、室内の害虫を防除したり、室内の環境を清浄化したりする装置として、ファンよりの風を利用して揮散性を有する殺虫剤、芳香剤等の薬剤を送風放散する装置が提案され、一部商品化されている。
【０００３】
このような送風放散装置は、従来の電気式蚊取器のように、薬剤を加熱蒸散させる装置に比べ、薬剤の拡散が早く、加熱による安全性（火災等）への不安がないこと、及び商業電源が不用である等の利点があり、今後の薬剤の放散装置として有望である。
【０００４】
【発明が解決しようとする課題】
しかし、この装置は、使用する場所、例えば、押入の上側に設けた天袋等の高所、狭い空間、狭い入口を有する空間、隙間等の狭い所、排水道、浄化槽、押入れ内部や床下収納庫等の煩雑になっている空間などの多くの場所で使うことが難しく、まだ改良すべき課題が存在している。
【０００５】
本発明は上記のことに鑑みなされたもので、あらゆる場所で、しかも局部的に薬剤を放散できるようにした揮散性薬剤の送風放散装置を提供することを目的とするものである。
【０００６】
【課題を解決するための手段】
上記目的を達成するために、本発明に係る揮散性薬剤の送風放散装置量は、ファンを内装した装置本体の送風出口側に、内面に揮散性薬剤を塗布、あるいは積層により担持した柔軟性を有するチューブを少なくとも１本接続した構成になっている。
【０００７】
上記装置本体に、この装置本体に接続したチューブを巻き取り収納するチューブ収納手段を設けた。
【０００８】
【作用】
本発明に係る装置ではファンの回転により装置本体の送風入口側から吸入された空気が送風出口側に接続したチューブより吐出される。そしてこの吐出空気は、チューブの内側に担持された揮散性薬剤の揮散薬剤がチューブを通る空気と共に外部へ放散される。
【０００９】
そして不使用時のチューブは、装置本体に設けられたチューブ収納手段にて巻き取り収納される。
【００１０】
【発明の実施の形態】
本発明の実施の形態を図面に基づいて説明する。図１に示す第１の実施例において、１は装置本体で、この装置本体１内にはモータ２にて回転するファン３が内装してある。そして、これの一側壁が送風入口側となり、他側壁が送風出口側となっており、送風入口側に多数の空気吸入孔４が、また送風出口側にチューブ接続孔５が設けてある。６は上記モータ２を駆動するための電池である。
【００１１】
チューブ接続孔５には柔軟性を有するチューブ７の一端が接続されている。そしてこのチューブ７の内面には揮発性薬剤８が塗膜状に、あるいは積層状にて担持されている。
【００１２】
この構成において、ファン３が回転することにより、装置本体１の送風入口側の空気吸入孔４から吸入された空気が送風出口側のチューブ接続孔５に接続したチューブ７を介して吐出され、このチューブ７を通る間に、チューブ７の内面に担持された揮散性薬剤８から薬剤が揮散されて、チューブ７の先端からこの揮散薬剤が混入した空気が吐出される。
このチューブ７の先端を適用場所へ向けることにより、この所定の適用場所に上記揮散薬剤を放散することができる。
【００１３】
上記実施例において、チューブ７は相当長いものとなるため、不使用時におけるチューブ７の始末用として、図２、図３に示すように、装置本体１の一側部に、固定リール９を、あるいは回転リール１０を設け、これにチューブ７を巻き取るようにしてもよい。１１は回転リール１０の側面に設けた取手である。
【００１４】
本発明に用いる揮散性薬剤としては、従来より用いられている殺虫、忌避、成長制御などの害虫防除剤、あるいは消臭、芳香、防菌、防カビなどに用いられる各種薬剤が挙げられる。
【００１５】
その具体例としては次のものが例示できる。
（害虫防除剤）
ピレスロイド系殺虫剤：アレスリン、ｄｌ・ｄ−Ｔ８０−アレスリン、ｄｌ・ｄ−Ｔ−アレスリン、ｄ・ｄ−Ｔ−アレスリン、ｄ・ｄ−Ｔ８０−プラレトリン、レスメトリン、ｄｌ・ｄ−Ｔ８０−レスメトリン、エンペントリン、テラレスリン、トランスフルスリン、フラメトリン、フェノトリン、エトフェンプロックス、テフルスリン、フェンフルスリン等
【００１６】
このほかに、害虫成長制御剤としてピリプロキシフェン、メトプレン、ハイドロプレン、フェノキシカルプ等が、また、害虫忌避剤としてディート、ジメチルフタレート、ジブチルフタレート、２−エチル−１，３−ヘキサンジオール、ｐ−ジクロルベンゼン、カプリン酸ジエチルアミド、カンファー等が、さらに、機能性天然精油に、アニス油、オレンジ油、カシア油、グレープフルーツ油、シソ油、クローブ油、シトロネラ油、シナモン油、ハッカ油、ヒバ油、ヒノキ油、ペパーミント油、ユーカリ油、レモングラス油、ゼラニウム油、フェンネル油等である。
【００１７】
（消臭剤）
シトロネラ油、レモングラス油、ボルニルアセテート、安息香酸メチル、安息香酸エチル、フェニル酢酸エチル等。
【００１８】
（香料）
動物性、植物性の天然香料、或いは炭化水素、アルコール、アルデヒド、ケトン、ラクトン、オキシド、エステル類等の人工香料。
【００１９】
（防菌防黴剤）
エチルアルコール、イソプロピルアルコール、フェノール、チモール、ｏ−フェニルフェノール、ヒノキチアゾール等。
【００２０】
上記した実施例におけるチューブは軟質の樹脂やゴム、繊維等にて構成し、柔軟性を持たせてある。そしてこれの太さは特に限定されないが、少なくとも、送風放散装置の規模、揮散性薬剤の作用効果及びその必要放出量、取り扱い易さ、操作性などを考慮すると、口径が５〜５０ｍｍの範囲が好ましい。口径が５０ｍｍ以上になると、大掛かりな業務用や工業用分野でも高い投資が必要であり、取り扱いも大変となる。
【００２１】
またチューブの断面形状は、円形、楕円形が一般的であるが、妥当な価格で製作可能であれば特に限定するものではない。
【００２２】
また上記した各実施例の装置における図示した各部の大きさの関係は、図示のものに限るものではなく、各部の大きさの関係は適宜なものとなることはいうまでもない。
【００２３】
【発明の効果】
本発明によれば、装置本体の送風出口側に接続した柔軟性を有するチューブより揮散薬剤を放散することができる。そしてこのとき、チューブを自由に動作することができ、これの先端を任意の場所へ向けることができ、上記揮散薬剤を高い場所、あるいは狭い場所等あらゆる場所で、しかも局部的に放散することができる。
【００２４】
また、請求項２に係る装置によれば、装置本体に接続したチューブを、これの不使用時に邪魔になることなく収納することができる。
【図面の簡単な説明】
【図１】  本発明の実施例を示す構成説明図である。
【図２】  チューブ収納手段を示す構成説明図である。
【図３】  チューブ収納手段の他例を示す構成説明図である。
【符号の説明】
１…装置本体、２…モータ、３…ファン、４…空気吸入孔、５…チューブ接続孔、６…電池、７…チューブ、８…揮散性薬剤、９…固定リール、１０…回転リール、１１…取手。
【図１】
0004673523.tif 000002
【図２】
0004673523.tif 000003
【図３】
0004673523.tif 000004